(57)【要約】【課題】  購入予定者が操作する操作部材を有する製品のブリスターパックにおいて、包装を取り外さなくても操作部材の操作具合が分かるようにして、当該製品の展示効果を向上させる。【解決手段】  購入予定者が操作可能な操作部材４を外部に有する製品１を収納可能な収納部１２が形成された透明なカバー体１３と、その収納部１２を閉塞すべくカバー体１３の裏面側に重合して取り付けられた裏側シート材１４とを備えているブリスターパックにおいて、操作部材４の形状に合わせて形成された操作部材対応部１８をカバー体１３に形成する。そして、この対応部１３を、操作部材４の操作方向に合わせて移動可能でかつカバー体１３から抜け止めされた状態となるように当該カバー体１３に取り付ける。【選択図】図１
2007137518.tif 000002
【特許請求の範囲】
【請求項１】
購入予定者が操作可能な操作部材を外部に有する製品を収納可能な収納部が形成された透明なカバー体と、前記収納部を閉塞すべくそのカバー体の裏面側に重合して取り付けられた裏側シート材とを備えている、操作部材を有する製品のブリスターパックにおいて、  前記操作部材の形状に合わせて形成された操作部材対応部が前記カバー体に形成され、この対応部が前記操作部材の操作方向に合わせて移動可能でかつ前記カバー体から抜け止めされた状態で当該カバー体に取り付けられていることを特徴とするブリスターパック。
【請求項２】
前記操作部材は、購入予定者が回動して操作する部材であり、前記操作部材対応部は、前記操作部材がちょうど嵌り込む外周形状に形成されているとともに、前記カバー体に対して回動自在に取り付けられている請求項１に記載のブリスターパック。
【請求項３】
前記製品は、更に購入予定者の操作によって出退する出退部材を備えており、前記カバー体は、前記出退部材の突出部分の形状に合わせて形成された出退部材対応部を備えている請求項１又は２に記載のブリスターパック。
【請求項４】
前記出退部材は前記製品の複数の箇所から出退自在となっており、前記出退部材対応部はその出退部材の出退箇所に対応して複数設けられている請求項３に記載のブリスターパック。
【請求項５】
購入予定者が操作可能な操作部材を外部に有する製品と、この製品を収納部に収納した状態で包装している請求項１〜４のいずれかに記載のブリスターパックとからなる包装済み製品。
【発明の詳細な説明】
【技術分野】
【０００１】  本発明は、ユーザーの操作によって動く操作部材や出退部材を有する製品を展示するのに適したブリスターパックとこれを用いた包装済み製品に関するものである。
【背景技術】
【０００２】  ホームセンターやコンビニその他の小売店では、ブリスターパックに包装された種々の製品が商品棚に展示された状態で販売されている。  かかる包装用のブリスターパックは、通常、購入予定者が購入しようとする製品が収納される収納部が形成された透明なカバー体と、その収納部を閉塞すべく前記カバー体の裏面側に重合して取り付けられた裏側シート材とからなり、商品棚に吊り下げられた状態で展示されている（特許文献１参照）。【０００３】  一方、上記ブリスターパックに包装されて展示販売されるＤＩＹ製品の一つとして、本締まり錠、補助錠、外締まり錠、内締まり錠及びサムターン錠といった各種の施錠装置や、電動ドライバーやドリルといった工具類等の製品がある。  このうち、サムターン錠は、室内側でサムターンを操作してデッドボルトをドア側端面から出没させて施解錠するものであり、このサムターン錠は、ドアに取付可能なケーシングの外面に設けられた回動自在な操作部材であるサムターンと、そのケーシングの側面から出退自在に設けられた出退部材であるデッドボルトとを備えている（特許文献２参照）。【０００４】
【特許文献１】特開２０００−３４４２７１号
【特許文献２】特開２００４−１６２２９９号
【発明の開示】
【発明が解決しようとする課題】
【０００５】  上記サムターン錠のような操作部材を有する施錠装置を包装するブリスターパックは、通常、当該施錠装置の外面形状に沿った収納部がカバー体に一体に形成されており、操作部材が嵌り込む収納部分についてもカバー体に一体に形成されている。このため、従来の施錠装置用のブリスターパックでは、当該パックに包装された状態では、購入予定者が施錠装置に設けられた操作部材の操作具合（感触）を確かめることができず、この点で製品の展示効果が今一つであるという欠点があった。【０００６】  このため、操作部材の操作具合を購入予定者に正確に理解して貰うためには、販売者は包装を取り外した施錠装置を製品サンプルとして展示しておかねばならず、展示コストが高くなるという不都合があった。  そこで、本発明は、購入予定者が操作する操作部材を有する製品のブリスターパックとこれを用いた包装済み製品において、包装を取り外さなくても操作部材の操作具合が分かるようにして、当該製品の展示効果を向上させることを目的とする。
【課題を解決するための手段】
【０００７】  上記目的を達成するために、本発明は次の技術的手段を講じた。  すなわち、本発明は、購入予定者が操作可能な操作部材を外部に有する製品を収納可能な収納部が形成された透明なカバー体と、前記収納部を閉塞すべくそのカバー体の裏面側に重合して取り付けられた裏側シート材とを備えているブリスターパックにおいて、前記操作部材の形状に合わせて形成された操作部材対応部が前記カバー体に形成され、この対応部が前記操作部材の操作方向に合わせて移動可能でかつ前記カバー体から抜け止めされた状態で当該カバー体に取り付けられていることを特徴とする。【０００８】  本発明のブリスターパックによれば、操作部材の形状に合わせてカバー体に形成された操作部材対応部が、操作部材の操作方向に合わせて移動可能でかつカバー体から抜け止めされた状態で当該カバー体に取り付けられているので、購入予定者は、操作部材対応部に収納されている操作部材をカバー体の外側からそのまま操作することができ、包装を取り外さなくても操作部材の操作具合を理解することができる。【０００９】  本発明のブリスターパックにおいて、製品に付随する操作部材の操作運動は、直線運動、押動操作及び回動操作等いずれの操作運動であってもよいが、購入予定者が回動して操作するつまみ等の操作部材である場合には、操作部材対応部は、操作部材がちょうど嵌り込む外周形状に形成されているとともに、カバー体に対して回動自在に取り付けられているものを採用すればよい。【００１０】  また、本発明のブリスターパックにおいて、包装される製品が、更に購入予定者の操作によって出退する出退部材を備えている場合には、カバー体として、出退部材の突出部分の形状に合わせて形成された出退部材対応部を備えたものを採用することが好ましい。更に、上記出退部材が製品の複数の箇所から出退自在となっている場合には、出退部材対応部をその出退部材の出退箇所に対応して複数設けることが好ましい。【００１１】  この場合には、カバー体の操作部材対応部に収納されている操作部材を操作すると、出退部材の突出部分が出退部材対応部に向かって出退することになる。このため、購入予定者は、操作部材の操作具合だけでなく、出退部材がどのようにして外部に飛び出すかについても、包装を取り外さずに理解することができ、この点で製品の展示効果をより一層向上させることができる。
【発明の効果】
【００１２】  上記の通り、本発明によれば、購入予定者が操作する操作部材を有する製品のブリスターパックとこれを用いた包装済み製品において、包装を取り外さなくても操作部材の操作具合が分かるので、当該製品の展示効果を向上させることができる。
【発明を実施するための最良の形態】
【００１３】  以下、図面に基づいて、本発明の実施形態を説明する。  図１は本発明の一実施形態に係るブリスターパック１１と、これによって包装される施錠装置の一種である内締まり錠１を示している。  図１に示すように、本実施形態の内締まり錠１は、例えば玄関ドア（図示せず）の室内側面に取り付け可能な縦長の金属製のケーシング２と、このケーシング２からドア枠（図示せず）に向かって出退自在となるように同ケーシング２内に設けられた出退部材であるロック部材３と、ユーザーによって操作可能となるようにケーシング２の外部に回動自在に設けられた操作部材４と、を備えている。【００１４】  上記ケーシング２は、正面視において縦長のほぼ長方形状を呈する中空のケース体よりなり、上下端部の四隅にドア面にネジ止めするためのネジ挿通孔５を備えている。このケーシング２の左右両側面の下部よりには、前記ロック部材３の出退口６が形成されている。本実施形態のロック部材３は、ケーシング２を左右方向に貫通して直線状に移動するデッドボルト７と、このデッドボルト７と連動してケーシング２の側面から出退するように揺動する鎌部材８とからなる。【００１５】  このうち、デッドボルト７は、断面Ｌ型の金属製の棒状体よりなり、ケーシング２の各出退口６から交互に出退自在となるように当該各出退口９に挿通されている。すなわち、デッドボルト２の左側端部がケーシング２の左側面から突出するとその右側端部がケーシング２内に収納され、逆に、デッドボルト１０の右側端部がケーシング２の右側面から突出するとその左側端部がケーシング２内に収納されるように、当該デッドボルト１０の直線移動範囲が設定されている。  また、鎌部材８も、デッドボルト７と同じように、左右いずれか一方に選択的に突出するようになっている。【００１６】  前記操作部材４は、これを左回り或いは右回りに回動することにより、ロック部材３を左右いすれかに突出させるものであり、本実施形態では、ケーシング２に回動自在に設けたボス部（図示せず）に対して抜き差し自在に取り付けられた操作つまみにより構成されている。  ケーシング２の上部には押動操作自在な押しボタン９が設けられており、本実施形態の内締まり錠１では、この押しボタン９を押した状態にしないと、操作部材４の回動操作が規制されるようになっている。【００１７】  本実施形態のブリスターパック１は、購入予定者が操作可能な操作部材４を外部に有する製品である前記内締まり錠１を収納する収納部１２が形成された透明なカバー体１３と、その収納部１３を閉塞すべくカバー体１３の裏面側に重合して取り付けられた裏側シート材１４とを備えている。  このうち、カバー体１３は、合成樹脂製の薄いシート材をプレス成型してなり、長方形状のシート部１５と、このシート部１５の中央部分に一体に成型された前記収納部１２とから構成されている。【００１８】  上記カバー体１３の収納部１２は、前記内締まり錠１の表面側の外面形状とほぼ同じ形状に成型されており、前記ケーシング２に対応するメイン部分１６と、前記ロック部材３に対応するロック部材対応部１７と、前記操作部材４に対応する操作部材対応部１８と、前記押しボタン９に対応するボタン対応部１９とから構成��れている。  このうち、ロック部材対応部１７は、ロック部材１７が左右のいずれにも出退自在であることから、メイン部分１６の左右両側に配置されている。また、ボタン対応部１９は、メイン部分１６の底壁部の上部に配置されている。【００１９】  図１及び図２に示すように、操作部材対応部１８は、前記操作部材４がちょうど嵌り込む外面形状に形成されており、短円筒状のガイド筒部２０を開口基端側に備えている。これに対して、収納部１２のメイン部分１６の下部には円筒部分２１が形成され、この円筒部分２１には先細り状でかつ内向きフランジ付きの開口縁部２２が形成されている。  そして、図２に矢印で示すように、上記操作部材対応部１８をカバー体１３の裏側（図２の右側）から円筒部分２１に挿通し、ガイド筒部２０を開口縁部２２の内向きフランジに回動自在に摺接させることにより、操作部材４と同様に回動可能でかつカバー体１３から抜け止めされた状態で操作部材対応部１８がカバー体１３に取り付けられている。【００２０】  前記裏側シート材１４は、カバー体１３のシート部１５とほぼ同じ長方形状に形成された紙製又は合成樹脂製のシート材よりなり、そのシート部１５の裏面に接着剤又はステープルで取り付けることにより、収納部１２を裏側から閉塞して内締まり錠１をパックするためのものであり、これにより、ブリスターパック１１で包装された内締まり錠１の包装済み製品が製作される。【００２１】  上記構成に係るブリスターパック１１によれば、操作部材４の形状に合わせてカバー体１３に形成された操作部材対応部１８が、操作部材４と同様に回動可能でかつカバー体１３から抜け止めされた状態で当該カバー体１３に取り付けられているので、購入予定者は、操作部材対応部１８に収納されている操作部材４をカバー体１３の外側からそのまま回動操作することができる。このため、購入予定者は包装を取り外さなくても操作部材４の操作具合の感触を適切に把握することができ、内締まり錠１の展示効果を向上させることができる。  また、本実施形態のブリスターパック１１によれば、操作部材４の操作具合を購入予定者に理解して貰うために、販売者が包装を取り外した内締まり錠１を製品サンプルとして展示する必要がないので、展示コストを低減することができる。【００２２】  更に、本実施形態のブリスターパック１１によれば、カバー体１３の操作部材対応部１８に収納されている操作部材４を操作すると、ロック部材３の突出部分が収納部１２のメイン部分１６の左右両側に形成したロック部材対応部１７に向かって出退するようになっている。このため、購入予定者は、操作部材４の操作具合だけでなく、ロック部材３がどのようにして外部に飛び出すかについても、包装を取り外さずに理解することができ、この点で内締まり錠１の展示効果をより一層向上できるという利点もある。【００２３】  本発明は上記実施形態に限定されるものではない。  例えば、上記実施形態では、内締まり錠１の操作部材４が回動操作自在な操作つまみから構成されているが、直線運動や押動操作する操作部材に対しても本発明を適用することができ、操作部材対応部は、それらの操作部材の操作形式に合わせて移動可能となるよにカバー体１３に設ければ��い。  また、操作部材４の操作によってケーシング２から出退する部材であれば、上記ロック部材３以外の出退部材に対応する部分をカバー体１３に形成するようにしてもよい。【００２４】  更に、本発明に係るブリスターパック１１の包装対象は、内締まり錠１に限らず、その他の施錠装置であってもよいし、購入予定者が操作可能な操作部材を有する製品であれば、施錠装置以外のものであってもよい。
【図面の簡単な説明】
【００２５】
【図１】本発明に係るブリスターパックとこの包装対象である内締まり錠の斜視図である。
【図２】上記ブリスターパックのカバー体の組み立て状態を示す側面図である。
【符号の説明】
【００２６】  １      内締まり錠（製品）  ２      ケーシング  ３      ロック部材（出退部材）  ４      操作部材１１      ブリスターパック１２      収納部１３      カバー体１４      裏側シート材１６      メイン部分１７      ロック部材対応部（出退部材対応部）１８      操作部材対応部
【図１】
2007137518.tif 000003
【図２】
2007137518.tif 000004